(57)【特許請求の範囲】
【請求項１】
容器本体と、上記容器本体の縁に着脱可能に固定できる湯切りザルと、上記湯切りザルに着脱可能に固定できる蓋とからなる電子レンジ用容器であって、
上記湯切りザルを上記容器本体に入れて固定し、上記湯切りザルの内側に麺を入れ上記容器本体に水を入れた時に、上記麺の浮き上がりを防止する、浮き上がり防止突起を上記湯切りザルに設け、上記浮き上がり防止突起が可動式であり、
上記湯切りザルを上記容器本体に入れて固定した時に、上記浮き上がり防止突起が自動的に上記湯切りザルの内側に突出することを特徴とする電子レンジ用容器。
【請求項２】
上記容器本体と上記湯切りザルの固定が、アンダーカットあるいは上記湯切りザルの縁を折り曲げることによって行われることを特徴とする請求項１に記載の電子レンジ用容器。
【発明の詳細な説明】
【技術分野】
【０００１】
本発明は、電子レンジでインスタントの麺類を調理するための電子レンジ用容器に関し、特にインスタントの焼きそば等の湯切りが必要な麺類を電子レンジで調理するのに用いる容器に関する。
【背景技術】
【０００２】
インスタントのラーメンや焼きそばとして、お湯を注いで麺をほぐして調理を行うものが多数販売されている。これらの麺類は、袋詰め、あるいは専用の容器に入れた状態で販売されており、その手軽さから、広く普及している。
【０００３】
また、電子レンジの普及に伴い、インスタント麺類の調理方法として、お湯を注ぐのではなく、水を注いで電子レンジで加熱して調理するための容器も用いられている。特に、焼きそば等の場合には湯切りが必要となり、それに対応するための容器も従来技術として考えられている（特許文献１を参照）。
【特許文献１】特開２００６−３４６６５号公報
【発明の開示】
【発明が解決しようとする課題】
【０００４】
しかし、電子レンジでインスタントの麺類を調理する際に、従来の電子レンジ用の容器を用いると、水と麺を容器に入れると麺が浮き上がり、電子レンジの加熱によって麺の上側が電子レンジの加熱により乾燥してしまい、麺の下側だけが水分を吸収するので、麺全体が十分に水分を吸収できないという問題を引き起こす。
【０００５】
そこで、本発明は上記問題を解決するために、電子レンジでインスタントの麺類を調理した場合に、麺全体に水分を行き渡らせることが可能で、湯切りも簡単に行うことが出来る電子レンジ用容器を提供することを目的とする。
【課題を解決するための手段】
【０００６】
本発明の電子レンジ用容器は、容器本体と、上記容器本体の縁に着脱可能に固定できる湯切りザルと、上記湯切りザルに着脱可能に固定できる蓋とからなる電子レンジ用容器であって、上記湯切りザルを上記容器本体に入れて固定し、上記湯切りザルの内側に麺を入れ上記容器本体に水を入れた時に、上記麺の浮き上がりを防止する、浮き上がり防止突起を上記湯切りザルに設けたことを特徴とする。
【０００７】
そして、上記浮き上がり防止突起が、可動式であることが好ましい。
【０００８】
あるいは、上記湯切りザルを上記容器本体に入れて固定した時に、上記浮き上がり防止突起が自動的に上記湯切りザルの内側に突出することが好ましい。
【０００９】
また、上記容器本体と上記湯切りザルの固定が、アンダーカットあるいは上記湯切りザルの縁を折り曲げることによって行われることが好ましい。
【発明の効果】
【００１０】
本発明の電子レンジ用容器は、容器本体と、上記容器本体の縁に着脱可能に固定できる湯切りザルと、上記湯切りザルに着脱可能に固定できる蓋とからなる電子レンジ用容器であって、上記湯切りザルを上記容器本体に入れて固定し、上記湯切りザルの内側に麺を入れ上記容器本体に水を入れた時に、上記麺の浮き上がりを防止する、浮き上がり防止突起を上記湯切りザルに設けたことにより、上記麺に十分に水分を含ませることが可能となり、麺の食感をよりよくする事が出来る。
【００１１】
そして、上記浮き上がり防止突起が、可動式であることにより、上記麺を入れ易くなる。
【００１２】
あるいは、上記湯切りザルを上記容器本体に入れて固定した時に、上記浮き上がり防止突起が自動的に上記湯切りザルの内側に突出することにより、電子レンジ用容器の使い勝手をより良いものとすることができる。
【００１３】
また、上記容器本体と上記湯切りザルの固定が、アンダーカットあるいは上記湯切りザルの縁を折り曲げることによって行われることにより、簡単に、そして確実に上記容器本体と上記湯切りザルを固定することができる。
【発明を実施するための最良の形態】
【００１４】
本発明を、図を用いて以下に詳細に説明する。図１が本発明の第１の実施形態の電子レンジ用容器１の断面図である。
【００１５】
第１の実施形態の電子レンジ用容器１は、インスタントの麺類を電子レンジで調理するための容器であって、図１に示すように、容器本体２と、湯切りザル３と、蓋４から構成される。上記湯切りザル３は上記容器本体２の縁に着脱可能に固定できる構造となっており、また、上記蓋４は上記湯切りザル３の縁の内側に嵌め込むことにより着脱可能に固定できる構造となっている。
【００１６】
そして、上記湯切りザル３は、湯切りするときに湯を通過させ、麺を保持するザル部５を有しており、上記ザル部５は、上記湯切りザル３を上記容器本体２に固定したときに、上記容器本体２の底に近い位置となるような構造となっている。
【００１７】
上記湯切りザル３の内側には、複数の浮き上がり防止突起６を設けている。これにより、上記湯切りザル３を上記容器本体２に入れて固定し、上記湯切り座ザル３に麺１０を入れ、上記容器本体２に水を入れた時に、上記麺１０が浮き上がるのを防止することが可能となる。上記浮き上がり防止突起６は、湯切りザル３と一体に形成されているか、あるいは湯切りザル３に固定された状態となっている。
【００１８】
また、上記容器本体２と上記湯切りザル３の固定手段については、幾つかの構造が用いることが出来る。図２に示すのが、その固定手段であり、まず初めに図２の（ａ）に示す、アンダーカット７を用いた方法について説明する。
【００１９】
図２の（ａ）に示すように、上記湯切りザル３の縁に、アンダーカット７が設けられており、上記容器本体２の縁には、上記アンダーカット７を挿入するための孔８が設けられている。上記アンダーカット７は途中に膨らみが設けられた形状となっているので、上記アンダーカット７を上記孔８に挿入すると、上記膨らみによって、上記アンダーカット７が上記孔８から簡単に抜けるのが防止され、上記湯切りザル３が上記容器本体２に着脱可能に固定される。
【００２０】
上記アンダーカット７および上記孔８は、上記電子レンジ用容器１の大きさに応じて複数個を、適当な間隔で設けておき、湯切りの際に、上記湯切りザル３が、外れないようにする。
【００２１】
次に、図２の（ｂ）に示すのが、上記湯切りザル３の縁を折り曲げることにより、固定する方法である。図に示すように、上記湯切りザル３の縁に設けた折り曲げ部９を、上記容器本体２の縁に沿って折り曲げることにより、上記湯切りザル３を上記容器本体２に固定する。
【００２２】
この場合、上記湯切りザル３の縁の全周に亘って折り曲げ部９を設けてもよく、あるいは、部分的に複数の折り曲げ部９を設けても良い。
【００２３】
本発明の電子レンジ用容器１の材質については、特に限定するものではないが、電子レンジで使用するために、耐熱ＰＰを用いることが好ましい。また、本発明の電子レンジ用容器１は、繰り返し使用することもできるので、上述のような耐熱性を有するだけでなく所定の耐久性を有する材質を用いることが好ましい。また、平面形状については、特に限定するものではなく、円形や矩形とすることができる。
【００２４】
次に、本発明の電子レンジ用容器１の使用方法について図を用いて詳しく説明する。
【００２５】
本発明の電子レンジ用容器１は、上述のようにインスタントの麺類を、電子レンジで調理するために使用するものである。まずは、図３に示すように、上記湯切りザル３を上述の固定手段を用いて上記容器本体２に固定する。ここでは、固定手段としてアンダーカット６を用いている。
【００２６】
そして、図４（ａ）に示すような状態で、上記湯切りザル３に麺１０を入れる。この時に、図４（ｂ）に示すように、上記麺１０を上記湯切りザル３に設けた浮き上がり防止突起６の下になるように置く。
【００２７】
上記麺１０を所定の場所に置いたら、上記容器本体２に水を注ぐ。この時、水面１０が、上記浮き上がり防止突起６よりも高く、かつ加熱時に吹き溢さない程度の高さまで水を注ぐ（図５参照）。この時、上記麺９は、浮力によって上記容器本体２の底から浮き上がるが、上記浮き上がり防止突起６に押さえられるので、上記水面１１上に上記麺１０が浮き出てくることは無い。
【００２８】
水を所定の高さまで注ぎ終わったら、上記蓋４を上記湯切りザル３の縁の内側に嵌め込んで固定し、上記容器本体２に蓋をする（図６参照）。そして、上記電子レンジ用容器１を、電子レンジに入れ、所定の温度の所定の時間加熱する。加熱の際に、上記麺１０が水分を吸収し解れるまでは、上述のように、上記麺９が上記浮き上がり防止突起６によって押さえられているので、上記麺１０が上記水面１１より露出することなく、上記麺１０全体に水分が吸収される。
【００２９】
電子レンジによる加熱が終わったら、上記電子レンジ用容器１を上記電子レンジから取り出し、上記蓋４を外して、図７に示すように、上記麺１０が入った状態で上記湯切りザル３を上記容器本体２から取り外して持ち上げて湯切りを行い、上記容器本体２にお湯を捨てる。
【００３０】
湯切りした後に、図８に示すように上記麺１０を上記湯切りザル３から上記蓋４に移す。そして、図９に示すようにソース１４およびかやく１３を上記麺１０に振り掛けると、インスタント麺１０の調理が完了する。この場合、上記蓋４を器として利用する。
【００３１】
あるいは、湯切りした後に、上記容器本体２のお湯を捨て、上記湯切りザル３から上記容器本体２に上記麺１０を移し、図１０に示すように、ソース１４およびかやく１３を上記麺１０に振り掛けて上記容器本体２を器として使用しても良い。
【００３２】
このように、本発明の電子レンジ用容器１は、容器本体２あるいは蓋４を器として使用することが出来る。
【００３３】
本発明の電子レンジ用容器１により、インスタント麺１０全体に水分が吸収され、麺１０の食感が大幅に向上する。また、湯切りも簡単で確実に行うことが可能となる。
【００３４】
次に、第２の実施形態の電子レンジ用容器１５について説明する。図１１に示すのが第２の実施形態の電子レンジ用容器１５の断面図である。
【００３５】
第２の実施形態の電子レンジ用容器１５の構造は、湯切りザル３の浮き上がり防止突起６’の構造が、第１の実施形態と異なるだけで、その他の構造、容器本体２および蓋４については、第１の実施形態と同じであるので、説明を省略し、ここでは、上記浮き上がり防止突起６’の構造について詳しく説明する。
【００３６】
本実施形態においては、上記浮き上がり防止突起６’は可動式となっている。ここでは、上記浮き上がり防止突起６’を折り曲げ可能な構造とすることにより可動式としている。図１２（ａ）に示すのが、折り曲げた状態であり、図１２（ｂ）に示すのが、折り曲げる前の状態である。
【００３７】
上記浮き上がり防止突起６’は折り曲げ可能であり、さらに、折り曲げないときには、上記湯切りザル３に設けられた開口に収納可能としている。このようにすることにより、麺１０を入れる時に、上記浮き上がり防止突起６’が収納できるので、邪魔になることが無い。
【００３８】
そして、上記麺１０を入れた後で、上記浮き上がり防止突起６’を折り曲げれば、上記麺１０の浮き上がりを防止する働きをすることができる。
【００３９】
本実施形態では、上記浮き上がり防止突起６’を折り曲げ可能とすることで、可動式としたが、特にこの構造に限定するものではなく、上記浮き上がり防止突起６’を上記湯切りザル３に軸で固定し、可動式とすることも可能である。
【００４０】
次に、第３の実施形態の電子レンジ用容器１６について説明する。図１３に示すのが第３の実施形態の電子レンジ用容器１６の断面図である。
【００４１】
第３の実施形態の電子レンジ用容器１６の構造は、湯切りザル３の浮き上がり防止突起６’’の構造が、第１の実施形態と異なるだけで、その他の構造、容器本体２および蓋４については、第１の実施形態と同じであるので、説明を省略し、ここでは、上記浮き上がり防止突起６’’の構造について詳しく説明する。
【００４２】
本実施形態においては、上記浮き上がり防止突起６’’は自動的に上記湯切りザル３の内側に突出する構造となっている。ここでは、略Ｌ字型の上記浮き上がり防止突起６’’を用いている。
【００４３】
上記浮き上がり防止突起６’’は、略Ｌ字型の形状で、軸２０によって、上記湯切りザル３に設けられた開口２１の下側に回転可能に固定されている。上記浮き上がり防止突起６’’は、折れ曲がっている部分を中心に回転するようになっており、Ｌ字型の１辺が、上記湯切りザル３の外側に、もう１辺が内側になるように固定されている。
【００４４】
上記浮き上がり防止突起６’’がどのように自動的に突出するのかを説明する。麺１０を上記湯切りザル３に入れる時は、図１４（ａ）に示すように、上記浮き上がり防止突起６’’が跳ね上がった状態になっており、上記湯切りザル３の内側には突出していない。
【００４５】
上記麺１０を上記湯切りザル３に入れた状態で、上記湯切りザル３を容器本体２に入れて固定する。この時、上記浮き上がり防止突起６’’の外側に出ている部分が、図１４（ｂ）に示すように、上記容器本体２の縁に当り、上記軸２０を中心に回転する。この回転により、上記浮き上がり防止突起６’’は、上記湯切りザル３の内側へと突出し、上記浮き上がり防止突起６’’の外側に出ている部分が上記容器本体２の側壁に押されていることによって、この突出した状態が維持される。
【００４６】
この状態で、上記容器本体２に水を入れると、上記麺１０が、上記浮き上がり防止突起６’’の突出した部分で押さえられて、上記麺１０の浮き上がりが防止される。
【００４７】
このように、本実施形態では、自動的に上記浮き上がり防止突起６’’を突出させることができるので、より簡単に利用することが可能となる。
【００４８】
次に、第４の実施形態の電子レンジ用容器１７について説明する。図１５に示すのが第４の実施形態の電子レンジ用容器１７の断面図である。
【００４９】
第４の実施形態の電子レンジ用容器１７の構造は、湯切りザル３の浮き上がり防止突起６’’’の構造が、第１の実施形態と異なるだけで、その他の構造、容器本体２および蓋４については、同じであるので、説明を省略し、ここでは、上記浮き上がり防止突起６’’’の構造について詳しく説明する。
【００５０】
本実施形態においては、上記浮き上がり防止突起６’’’は自動的に上記湯切りザル３の内側に突出する構造となっている。ここでは、円弧と直線を組み合わせた形状の上記浮き上がり防止突起６’’’を用いている。
【００５１】
上記浮き上がり防止突起６’’’は、円弧と直線を組み合わせた形状で、軸２０によって上記湯切りザル３に設けられた開口２１の上側に回転可能に固定されている。上記浮き上がり防止突起６’’’は円弧部の端部を中心に回転するように支持されている。
【００５２】
上記浮き上がり防止突起６’’’がどのように自動的に突出するのかを説明する。麺１０を上記湯切りザル３に入れる時は、図１６（ａ）に示すように、上記浮き上がり防止突起６’’’が上記湯切りザル３の外側に位置する状態となっており、上記湯切りザル３の内側には突出していない。
【００５３】
上記麺１０を上記湯切りザル３に入れた状態で、上記湯切りザル３を容器本体２に入れて固定する。この時、図１６（ｂ）に示すように、上記浮き上がり防止突起６’’’の外側に出ている円弧の部分が、上記容器本体２の縁に当って押され、上記軸２０を中心に回転する。この回転により、上記浮き上がり防止突起６’’’は、上記湯切りザル３の内側へと突出する。そして、上記浮き上がり防止突起６’’’の円弧の部分が上記容器本体２の側壁に押されていることによって、この突出した状態が維持される。
【００５４】
この状態で、上記容器本体２に水を入れると、上記麺１０が上記浮き上がり防止突起６’’’の突出した部分で押さえられて、上記麺１０の浮き上がりが防止される。
【００５５】
このように、本実施形態では、自動的に上記浮き上がり防止突起６’’’を突出させることができるので、より簡単に利用することが可能となる。
【００５６】
次に、第５の実施形態の電子レンジ用容器１８について説明する。図１７に示すのが第５の実施形態の電子レンジ用容器１８の断面図である。
【００５７】
第５の実施形態の電子レンジ用容器１８の構造は、湯切りザル３の浮き上がり防止突起６’’’’の構造が、第１の実施形態と異なるだけで、その他の構造、容器本体２および蓋４については、同じであるので説明を省略し、ここでは、上記浮き上がり防止突起６’’’’の構造について詳しく説明する。
【００５８】
本実施形態においては、上記浮き上がり防止突起６’’’’はバネを用いて上記湯切りザル３の内側に突出する構造となっている。
【００５９】
上記浮き上がり防止突起６’’’’は、バネ２２、エンドストッパー２３、軸２４、およびストッパー２５から構成される。上記軸２４の端部に上記エンドストッパー２３、中間部にストッパー２５が設けられ、上記エンドストッパー２３と上記ストッパー２５の間にバネ２２が配置されている。
【００６０】
さらに、上記軸２４は、上記湯切りザル３に設けられた孔２６に挿入されており、上記湯切りザル３の側壁が、上記バネ２２と上記ストッパー２５の間に位置するように、挿入されている。
【００６１】
上記浮き上がり防止突起６’’’’がどのように突出するのかを説明する。麺１０を上記湯切りザル３に入れる時は、図１８（ａ）に示すように、上記バネ２２の弾性力により、上記エンドストッパー２３が外側へと押され、上記浮き上がり防止突起６’’’’の上記軸２４の先端部分（上記ストッパー２５より突出している部分）が僅かに飛び出た状態となっている。
【００６２】
上記麺１０を上記湯切りザル３に入れた状態で、上記湯切りザル３を容器本体２に入れて固定する。この時、上記浮き上がり防止突起６’’’’のエンドストッパー２３を手で押しながら、上記容器本体２に上記湯切りザル３を入れると、上記エンドストッパー２３が上記容器本体３に押されて、上記浮き上がり防止突起６’’’’の上記軸２４が上記バネ２２の弾性力に逆らって、上記湯切りザル３の内側へと突出する。そして、上記エンドストッパー２３が上記容器本体２の側壁に押されていることによって、この突出した状態が維持される。
【００６３】
この状態で、上記容器本体２に水を入れると、上記麺１０が上記浮き上がり防止突起６’’’’の突出した部分で押さえられて、上記麺１０の浮き上がりが防止される。
【００６４】
また、上記麺１０が出来上がって湯切りを行うときに、上記湯切りザル３を上記容器本体２から取り出すと、上記バネ２２によって、上記エンドストッパー２３が外側へと押されるので、自動的に上記浮き上がり防止突起６’’’’の突出量が元に戻り、上記麺１０を器へと移しやすくなる。
【００６５】
このように、本実施形態では、自動的に上記浮き上がり防止突起６’’’’の突出が元に戻されるので、麺の浮き上がりを防止するだけでなく、麺の取り出しも容易になるので、より使い勝手が良くなる。
【００６６】
次に、第６の実施形態の電子レンジ用容器１９について説明する。図１９に示すのが第６の実施形態の電子レンジ用容器１９の断面図である。
【００６７】
第６の実施形態の電子レンジ用容器１９は、容器本体２と、湯切りザル３と、蓋４から構成される。上記湯切りザル３には浮き上がり防止突起６’’’’’が設けられており、上記容器本体２には、上記浮き上がり防止突起６’’’’’に対応するリブ２７が設けられている。
【００６８】
上記浮き上がり防止突起６’’’’’は自動的に上記湯切りザル３の内側に突出する構造となっている。ここでは、上記湯切りザル３の下端を支点として回転する防止突起６’’’’’を用いる。
【００６９】
上記浮き上がり防止突起６’’’’’は、略Ｌ字型の形状で、端部が上記湯切りザル３の下端と接続されている。そして、もう一方の端部が、上記湯切りザル３に設けられた開口２１から突出する構造となっている。
【００７０】
上記浮き上がり防止突起６’’’’’は、上記湯切りザル３と一体成形されている。図２０（ａ）に示すように、上記浮き上がり防止突起６’’’’’は、上記湯切りザル３の下端から下方に延伸し、途中で折れ曲がったＬ字型に成形する。
【００７１】
そして、使用する際には、上記浮き上がり防止突起６’’’’’を、上記湯切りザル３の下端の接続部で上方に折り曲げ、上記浮き上がり防止突起６’’’’’を回転させて、その先端を上記開口２１へと挿入し、少し内側に突出した状態としておく（図２０（ｂ）参照）。
【００７２】
そして、図２１（ａ）に示すように、上述の状態の上記湯切りザル３に麺１０を入れて、上記湯切りザル３を容器本体２に入れて固定する。この時、図２１（ｂ）に示すように、上記浮き上がり防止突起６’’’’’の外側に出ている部分が、上記容器本体２に設けられた上記１７に押され、上記浮き上がり防止突起６’’’’’が、内側へと突出する。そして、上記浮き上がり防止突起６’’’’’の外側の部分が上記容器本体２の側壁に押されていることによって、この突出した状態が維持される。
【００７３】
この状態で、上記容器本体２に水を入れると、上記麺１０が上記浮き上がり防止突起６’’’’’の突出した部分で押さえられて、上記麺１０の浮き上がりが防止される。
【００７４】
また、上記麺１０が出来上がって湯切りを行うときに、上記湯切りザル３を上記容器本体２から取り出すと、上記浮き上がり防止突起６’’’’’が元の状態へと戻ろうとするので、自動的に上記浮き上がり防止突起６’’’’’の突出が少なくなり、上記麺１０を器へと移しやすくなる。
【００７５】
このように、本実施形態では、自動的に上記浮き上がり防止突起６’’’’’を突出させることができるので、麺の浮き上がりを防止するだけでなく、麺の取り出しも容易になり、より使い勝手が良くなる。
【図面の簡単な説明】
【００７６】
【図１】本発明の第１の実施形態の電子レンジ用容器の断面図である。
【図２】第１の実施形態の電子レンジ用容器の固定手段の拡大断面図であり、（ａ）がアンダーカットを用いた固定手段の拡大断面図、（ｂ）が折り曲げ部を用いた固定手段の拡大図である。
【図３】容器本体に湯切りザルを入れた状態の断面図である。
【図４】（ａ）が、湯切りザルに麺を入れるときの状態を示す断面図であり、（ｂ）が湯切りザルに麺を入れた状態を示す断面図である。
【図５】容器本体にインスタント麺と水を入れた状態を示す断面図である。
【図６】容器本体にインスタント麺と水を入れ、蓋をした状態を示す断面図である。
【図７】湯切りザルを持ち上げて、湯切りを行っている状態を示す断面図である。
【図８】湯切りザルから蓋に麺を移している状態を示す断面図である。
【図９】蓋に麺を入れ、ソースとかやくを入れている状態を示す断面図である。
【図１０】容器本体に麺を入れ、ソースとかやくを入れている状態を示す断面図である。
【図１１】第２の実施形態の電子レンジ用容器の断面図である。
【図１２】第２の実施形態の浮き上がり防止突起の拡大断面図であり、（ａ）が浮き上がり防止突起を突出させた状態であり、（ｂ）が浮き上がり防止突起を開口に収めた状態である。
【図１３】第３の実施形態の電子レンジ用容器の断面図である。
【図１４】第３の実施形態の浮き上がり防止突起の作動状況を示す拡大図であり、（ａ）が突出する前の状態であり、（ｂ）が突出を開始する状態であり、（ｃ）が突出した状態である。
【図１５】第４の実施形態の電子レンジ用容器の断面図である。
【図１６】第４の実施形態の浮き上がり防止突起の作動状況を示す拡大図であり、（ａ）が突出を開始する状態であり、（ｂ）が突出した状態である。
【図１７】第５の実施形態の電子レンジ用容器の断面図である。
【図１８】第５の実施形態の浮き上がり防止突起の作動状況を示す拡大図であり、（ａ）が突出を開始する状態であり、（ｃ）が突出した状態である。
【図１９】第６の実施形態の電子レンジ用容器の断面図である。
【図２０】第６の実施形態の湯切りザルの断面図であり、（ａ）が湯切りザルが成形された直後の状態であり、（ｂ）が湯切りザルを組み立てた状態である。
【図２１】第６の実施形態の浮き上がり防止突起の作動状況を示す断面図であり、（ａ）が突出する前の状態であり、（ｂ）が突出を開始する状態である。
【図２２】湯切りザルに麺を入れ、容器本体にセットした状態を示す断面図である。
【符号の説明】
【００７７】
１      第１の実施形態の電子レンジ用容器
２      容器本体
３      湯切りザル
４      蓋
５      ザル部
６、６’、６’’、６’’’、６’’’’、６’’’’’      浮き上がり防止突起
７      アンダーカット
８      孔
９      折り曲げ部
１０    インスタント麺
１１    水面
１２    スープ
１３    火薬
１４    ソース
１５    第２の実施形態の電子レンジ用容器
１６    第３の実施形態の電子レンジ用容器
１７    第４の実施形態の電子レンジ用容器
１８    第５の実施形態の電子レンジ用容器
１９    第６の実施形態の電子レンジ用容器
２０    軸
２１    開口
２２    バネ
２３    エンドストッパー
２４    軸
２５    ストッパー
２６    孔
２７    リブ
【図１】
0005060918.tif 000002
【図２】
0005060918.tif 000003
【図３】
0005060918.tif 000004
【図４】
0005060918.tif 000005
【図５】
0005060918.tif 000006
【図６】
0005060918.tif 000007
【図７】
0005060918.tif 000008
【図８】
0005060918.tif 000009
【図９】
0005060918.tif 000010
【図１０】
0005060918.tif 000011
【図１１】
0005060918.tif 000012
【図１２】
0005060918.tif 000013
【図１３】
0005060918.tif 000014
【図１４】
0005060918.tif 000015
【図１５】
0005060918.tif 000016
【図１６】
0005060918.tif 000017
【図１７】
0005060918.tif 000018
【図１８】
0005060918.tif 000019
【図１９】
0005060918.tif 000020
【図２０】
0005060918.tif 000021
【図２１】
0005060918.tif 000022
【図２２】
0005060918.tif 000023